(57)【要約】【課題】出射光のスペクトルを設計目標に近づけることが容易な照明器具を提供する。【解決手段】照明器具１０は、光源１２と、第一波長域の光を吸収することにより発光する発光材料を含む第一光学フィルタ１５と、第二波長域の光を吸収する吸収材料を含む第二光学フィルタ１６とを備える。第一光学フィルタ１５及び第二光学フィルタ１６の一方は、第一光学フィルタ１５及び第二光学フィルタ１６の他方と光源１２との間に位置する。【選択図】図３
2019109981.tif 000002
【特許請求の範囲】
【請求項１】
光源と、
第一波長域の光を吸収することにより発光する発光材料を含む第一光学フィルタと、
第二波長域の光を吸収する吸収材料を含む第二光学フィルタとを備え、
前記第一光学フィルタ及び前記第二光学フィルタの一方は、前記第一光学フィルタ及び前記第二光学フィルタの他方と前記光源との間に位置する
照明器具。
【請求項２】
前記第一光学フィルタは、前記第二光学フィルタと前記光源との間に位置する
請求項１に記載の照明器具。
【請求項３】
前記第二波長域の少なくとも一部は、前記第一波長域に含まれる
請求項２に記載の照明器具。
【請求項４】
前記第二光学フィルタは、前記第一光学フィルタと前記光源との間に位置する
請求項１に記載の照明器具。
【請求項５】
前記第一光学フィルタ、及び、前記第二光学フィルタは、隙間を空けて配置される
請求項１〜４のいずれか１項に記載の照明器具。
【請求項６】
前記第一光学フィルタ、及び、前記第二光学フィルタは、接着部材により接着されている
請求項１〜４のいずれか１項に記載の照明器具。
【請求項７】
前記第一光学フィルタ及び前記第二光学フィルタは、直接接触している
請求項１〜４のいずれか１項に記載の照明器具。
【請求項８】
前記第一光学フィルタ及び前記第二光学フィルタの一方の厚みは、前記第一光学フィルタ及び前記第二光学フィルタの他方の厚みよりも薄い
請求項７に記載の照明器具。
【請求項９】
さらに、透光性を有する基板を備え、
前記第一光学フィルタ及び前記第二光学フィルタは、前記基板の主面上に積層される
請求項７に記載の照明器具。
【請求項１０】
さらに、透光性を有する基板を備え、
前記第一光学フィルタは、前記基板の一方の主面上に設けられ、
前記第二光学フィルタは、前記基板の他方の主面上に設けられる
請求項１〜４のいずれか１項に記載の照明器具。
【発明の詳細な説明】
【技術分野】
【０００１】
本発明は、一部の波長域の光をカットする光学フィルタを備える照明器具に関する。
【背景技術】
【０００２】
近年、ＬＥＤ（Ｌｉｇｈｔ  Ｅｍｉｔｔｉｎｇ  Ｄｉｏｄｅ）を使用した照明器具が普及しつつある。このような照明器具として、特許文献１には、コンパクト化が可能な発光装置が開示されている。
【先行技術文献】
【特許文献】
【０００３】
【特許文献１】特開２００８−２７０７８６号公報
【発明の概要】
【発明が解決しようとする課題】
【０００４】
ところで、照明器具においては、出射光のスペクトルを設計目標に近づけることが難しい場合がある。
【０００５】
本発明は、出射光のスペクトルを設計目標に近づけることが容易な照明器具を提供する。
【課題を解決するための手段】
【０００６】
本発明の一態様に係る照明器具は、光源と、第一波長域の光を吸収することにより発光する発光材料を含む第一光学フィルタと、第二波長域の光を吸収する吸収材料を含む第二光学フィルタとを備え、前記第一光学フィルタ及び前記第二光学フィルタの一方は、前記第一光学フィルタ及び前記第二光学フィルタの他方と前記光源との間に位置する。
【発明の効果】
【０００７】
本発明によれば、出射光のスペクトルを設計目標に近づけることが容易な照明器具が実現される。
【図面の簡単な説明】
【０００８】
【図１】図１は、実施の形態１に係る照明器具の外観斜視図である。
【図２】図２は、実施の形態１に係る照明器具の分解斜視図である。
【図３】図３は、実施の形態１に係る照明器具の模式断面図である。
【図４】図４は、光源が発する白色光のスペクトルを示す図である。
【図５】図５は、発光材料としてペリレン誘導体を含む第一光学フィルタの特性を示す図である。
【図６】図６は、吸収材料としてテトラアザポルフィリン化合物を含む第二光学フィルタの光の透過特性を示す図である。
【図７】図７は、実施の形態１に係る照明器具の出射光のスペクトルを示す図である。
【図８】図８は、実施の形態２に係る照明器具の模式断面図である。
【図９】図９は、実施の形態１に係る照明器具を４００００時間発光させた場合の出射光のスペクトルの変化を示す図である。
【図１０】図１０は、実施の形態２に係る照明器具を４００００時間発光させた場合の出射光のスペクトルの変化を示す図である。
【図１１】図１１は、４００００時間発光した後の照明器具の出射光の色度の初期値からの変化を示す図である。
【図１２】図１２は、実施の形態３に係る波長制御素子の第一例の模式断面図である。
【図１３】図１３は、実施の形態３に係る波長制御素子の第二例の模式断面図である。
【図１４】図１４は、実施の形態３に係る波長制御素子の第三例の模式断面図である。
【図１５】図１５は、実施の形態３に係る波長制御素子の第四例の模式断面図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略または簡略化される場合がある。
【００１１】
（実施の形態１）
［構成］
以下、実施の形態１に係る照明器具の構成について説明する。図１は、実施の形態１に係る照明器具の外観斜視図である。図２は、実施の形態１に係る照明器具の分解斜視図である。図３は、実施の形態１に係る照明器具の模式断面図である。
【００１２】
図１に示されるように、実施の形態１に係る照明器具１０は、室内空間等を照明するスポットライトである。照明器具１０は、具体的には、本体部１１と、光源１２と、反射板１３と、レンズ１４と、第一光学フィルタ１５と、第二光学フィルタ１６とを備える。
【００１３】
本体部１１は、略円柱状の外形を有し、光出射側に設けられた空間に光源１２、反射板１３、レンズ１４、第一光学フィルタ１５、及び、第二光学フィルタ１６を収容する。本体部１１は、例えば、樹脂材料によって形成されるが、一部または全部が金属材料によって形成されてもよい。
【００１４】
光源１２は、例えば、基板上に実装された複数のＬＥＤチップが封止部材によって封止されたＣＯＢ（Ｃｈｉｐ  Ｏｎ  Ｂｏａｒｄ）型の発光モジュールである。基板の平面視形状は、例えば、矩形であり、封止部材が形成された基板上の発光領域の平面視形状は、例えば、円形である。
【００１５】
複数のＬＥＤチップのそれぞれは、例えば、ＩｎＧａＮ系の材料によって構成された、発光ピーク波長が４３０ｎｍ以上４８０ｎｍ以下の窒化ガリウム系のＬＥＤチップであり、青色光を発する。封止部材は、波長変換材として黄色蛍光体を含んだ透光性樹脂材料で構成される。透光性樹脂材料としては、例えば、シリコーン樹脂が用いられるが、エポキシ樹脂またはユリア樹脂などが用いられてもよい。また、黄色蛍光体には、例えば、ＹＡＧ系の蛍光体が採用されるが、ＬｕＡＧ系の蛍光体が採用されてもよい。
【００１６】
光源１２においては、複数のＬＥＤチップが発した青色光の一部は、封止部材に含まれる黄色蛍光体によって黄色光に波長変換される。そして、黄色蛍光体に吸収されなかった青色光と、黄色蛍光体によって波長変換された黄色光とは、封止部材中で拡散及び混合される。これにより、光源１２からは、白色光が出射される。図４は、光源１２が発する白色光のスペクトルを示す図である。図４の縦軸は光強度を示し、横軸は光の波長を示す。
【００１７】
なお、上記透光性樹脂材料には、演色性を高めることなどを目的として、黄色蛍光体の他に、赤色蛍光体及び緑色蛍光体などが含まれてもよい。上記透光性樹脂材料には、黄色蛍光体に代えて緑色蛍光体が含まれてもよい。
【００１８】
反射板１３は、光の反射機能を有する部材であって、光源１２が発する光が入射する開口である入射口と、入射口から入射した光が出射される開口である出射口とを有する。反射板１３は、内径が入射口から出射口に向かって大きくなるように構成された筒状の部材である。
【００１９】
反射板１３の内面は、光源１２が発する光を反射する反射面である。反射面は、入射口から入射した光を反射して出射口から出射する。反射板１３は、例えば、白色樹脂材料によって形成される。反射板１３の内面は、銀やアルミニウム等の金属材料からなる金属蒸着膜（金属反射膜）によってコーティングされてもよい。また、反射板１３は、アルミニウム等、樹脂材料よりも反射率の高い金属材料を用いて形成されてもよい。反射板１３の出射口部分には、レンズ１４が配置される。
【００２０】
レンズ１４は、特定の光学特性を有する光学素子である。レンズ１４は、光源１２が発する光を拡散（または平行化）するための凸レンズ（より具体的には、フレネルレンズ）である。レンズ１４は、光源１２と対向配置される。レンズ１４の平面視形状は、略円形である。レンズ１４は、例えば、アクリル樹脂またはポリカーボネート樹脂等の樹脂材料により形成される。レンズ１４を透過した光は、第一光学フィルタ１５に入射する。
【００２１】
第一光学フィルタ１５は、第一波長域の光を選択的に吸収することにより発光する発光材料を含む光学フィルタである。第一光学フィルタ１５は、言い換えれば、発光フィルタである。
【００２２】
第一光学フィルタ１５は、透光性を有する円板状の光学素子である。第一光学フィルタ１５は、具体的には、上記発光材料として蛍光色素（言い換えれば、発光色素）を含有するアクリル樹脂により形成される。第一光学フィルタ１５の基材は、アクリル樹脂に限定されず、ポリカーボネート樹脂などのその他の樹脂材料であってもよい。蛍光色素は、例えば、ペリレン誘導体である。図５は、発光材料としてペリレン誘導体を含む第一光学フィルタ１５の特性を示す図である。図５では、第一光学フィルタ１５の発光スペクトル、及び、吸収スペクトルの両方が図示されている。図５の縦軸は光の透過率または光強度を示し、横軸は光の波長を示す。
【００２３】
図５に示されるように、第一光学フィルタ１５、例えば、可視光域のうち６３０ｎｍ以下の第一波長域の光を吸収する。また、第一光学フィルタ１５は、例えば、５５０ｎｍ以上７８０ｎｍ以下の第三波長域にわたる光を発する。第一光学フィルタ１５は、５８０ｎｍ付近に光の吸収ピークを有し、６２０ｎｍ付近に発光ピークを有する。つまり、第一光学フィルタ１５の光の吸収ピーク波長は、発光ピーク波長よりも短い。
【００２４】
なお、第一光学フィルタ１５が含有する発光材料は、ペリレン誘導体に限定されない。発光材料は、テトラセン誘導体、アントラセン誘導体、または、アミン誘導体などの色素であってもよい。また、発光材料は、色素のような有機化合物に限定されず、蛍光体などの無機化合物であってもよい。第一光学フィルタ１５を透過した光は、第二光学フィルタ１６に入射する。
【００２５】
第二光学フィルタ１６は、第二波長域の光を選択的に吸収する吸収材料を含む光学フィルタである。第二光学フィルタ１６は、言い換えれば、吸光フィルタである。
【００２６】
第二光学フィルタ１６は、透光性を有する円板状のカラーフィルタである。第二光学フィルタ１６は、具体的には、上記吸収材料として色素を含有するアクリル樹脂により形成される。第二光学フィルタ１６の基材は、アクリル樹脂に限定されず、ポリカーボネート樹脂などのその他の樹脂材料であってもよい。吸収材料として使用される色素は、自発光しない色素である。吸収材料として使用される色素は、具体的には、例えば、テトラアザポルフィリン化合物である。図６は、吸収材料としてテトラアザポルフィリン化合物を含む第二光学フィルタ１６の光の透過特性を示す図である。図６の縦軸は光の透過率を示し、横軸は光の波長を示す。
【００２７】
図６に示されるように、第二光学フィルタ１６は、例えば、５００ｎｍ以上６００ｎｍ以下の第二波長域の光を吸収する。第二光学フィルタ１６は、５９０ｎｍ付近に光の吸収ピークを有する。照明器具１０においては、第二波長域は、第一波長域と重なる。つまり、第二波長域の一部は、第一波長域に含まれる。
【００２８】
テトラアザポルフィリン化合物は、例えば、銅（Ｃｕ）、ニッケル（Ｎｉ）、または、コバルト（Ｃｏ）などの金属元素を含む。なお、第二光学フィルタ１６が含有する吸収材料は、テトラアザポルフィリン化合物以外の色素であってもよい。吸収材料は、ポルフィリン誘導体、メチン系色素、メロシアニン化合物、または、フタロシアニン化合物などの色素であってもよい。
【００２９】
以上説明したように、照明器具１０は、第一光学フィルタ１５及び第二光学フィルタ１６の両方を備える。これにより、設計者は、第一光学フィルタ１５に含まれる発光材料の種類及び量、並びに、第二光学フィルタ１６に含まれる吸収材料の種類及び量を調整することにより、出射光のスペクトルを設計目標に追い込むことができる。したがって、照明器具１０は、第一光学フィルタ１５及び第二光学フィルタ１６のいずれかのみを備える照明器具よりも、出射光のスペクトルを設計目標に近づけることが容易な照明器具であるといえる。図７は、照明器具１０の出射光のスペクトルを示す図である。図７の縦軸は光強度を示し、横軸は波長を示す。
【００３０】
照明器具１０においては、第一光学フィルタ１５は、第二光学フィルタ１６と光源１２との間に位置する。つまり、第一光学フィルタ１５は、第二光学フィルタ１６よりも光源１２側に位置する。したがって、図７において実線で示されるスペクトルは、図４のスペクトルを有する白色光が、図５の特性を有する第一光学フィルタ１５を透過した後、さらに、図６の透過特性を有する第二光学フィルタ１６を透過することで得られる、照明器具１０の出射光のスペクトルである。
【００３１】
図７のスペクトルにおいては、５８０ｎｍ付近の波長域における光強度が比較的低下している。これにより、肌色の好ましさを示す指数ＰＳ（Ｐｒｅｆｅｒｅｎｃｅ  Ｉｎｄｅｘ  ｏｆ  Ｓｋｉｎ  Ｃｏｌｏｒ）などが向上された照明器具１０が実現される。なお、図７のスペクトルは一例であり、第一光学フィルタ１５に含まれる発光材料、及び、第二光学フィルタ１６に含まれる吸収材料の組み合わせにより多様な出射光のスペクトルが実現される。
【００３２】
また、照明器具１０において、第一光学フィルタ１５には、発光材料及び吸収材料のうち発光材料のみが含まれ、第二光学フィルタ１６には、発光材料及び吸収材料のうち吸収材料のみが含まれている。これにより、発光材料及び吸収材料の両方が混在している光学フィルタに比べて、第一光学フィルタ１５及び第二光学フィルタ１６のそれぞれに安定した特性を与えることができる。なお、第一光学フィルタ１５には、複数種類の発光材料が含まれてもよい。第二光学フィルタ１６には、複数種類の吸収材料が含まれてもよい。
【００３３】
ところで、図７において破線で示されるスペクトルは、第二光学フィルタ１６が第一光学フィルタ１５よりも光源１２側に位置する、比較例に係る照明器具の出射光のスペクトルである。比較例に係る照明器具は、照明器具１０と第一光学フィルタ１５及び第二光学フィルタ１６の配置のみが異なる。
【００３４】
第一光学フィルタ１５の光の吸収域である第一波長域と、第二光学フィルタ１６の光の吸収域である第二波長域とが重なる場合に、比較例に係る照明器具のように、光源１２が発する光が第一光学フィルタ１５よりも先に第二光学フィルタ１６に入射すると、第一光学フィルタ１５の光の吸収量が減ってしまう。第一光学フィルタ１５の光の吸収量が減少すると、これに応じて第一光学フィルタ１５の発光量も減少する。
【００３５】
これに対し、照明器具１０では、光源１２が発する光が第二光学フィルタ１６よりも先に第一光学フィルタ１５に入射するため、第一光学フィルタ１５の発光量を確保することができる。したがって、図７に示されるように、照明器具１０の出射光のスペクトル（図７の実線）においては、比較例に係る照明器具の出射光のスペクトル（図７の破線）に比べて発光ピークの光強度が高く、光源１２が発する光の利用効率が向上されている。
【００３６】
（実施の形態２）
以下、実施の形態２に係る照明器具について説明する。図８は、実施の形態２に係る照明器具の模式断面図である。なお、以下の実施の形態２では、実施の形態１との相違点を中心に説明が行われ、既出事項の説明については適宜省略される。
【００３７】
図８に示されるように、実施の形態２に係る照明器具１０ａは、第一光学フィルタ１５及び第二光学フィルタ１６の配置が照明器具１０と異なる。照明器具１０ａにおいては、第二光学フィルタ１６が第一光学フィルタ１５よりも光源１２側に位置する。つまり、第二光学フィルタ１６は、第一光学フィルタ１５と光源１２との間に位置する。
【００３８】
照明器具１０ａは、照明器具１０に比べて長時間の使用後も出射光の色度の変化が小さい。以下、４００００時間の使用後の出射光の色度の変化について図面を参照しながら説明する。図９は、照明器具１０を４００００時間発光させた場合の出射光のスペクトルの変化を示す図である。図１０は、照明器具１０ａを４００００時間発光させた場合の出射光のスペクトルの変化を示す図である。図１１は、４００００時間発光した後の照明器具１０の出射光の色度、及び、４００００時間発光した後の照明器具１０ａの出射光の色度の初期値からの変化を示す図である。
【００３９】
図９の（ａ）及び図１０の（ａ）では、照明器具１０及び照明器具１０ａの出射光のスペクトルの初期状態が太線で示されており、このときの出射光の色度は、図１１の「初期値」に対応する。図９の（ｂ）では、４００００時間経過後の照明器具１０の出射光のスペクトルが太線で示されており、このときの出射光の色度は、図１１の「実施の形態１」に対応する。図１０の（ｂ）では、４００００時間経過後の照明器具１０ａの出射光のスペクトルが太線で示されており、このときの出射光の色度は、図１１の「実施の形態２」に対応する。なお、図１１は、色度座標を示す図であり、光源１２が発する光の単体の色度も参考にプロットされている。
【００４０】
図９及び図１０においては、照明器具１０及び照明器具１０ａの出射光のスペクトル以外に、第一光学フィルタ１５及び第二光学フィルタ１６の特性についても細線で示されている。図９及び図１０において、（１）は、第一光学フィルタ１５の光の吸収スペクトルであり、（２）は、第一光学フィルタ１５の発光スペクトルであり、（３）は、第二光学フィルタ１６の光の吸収スペクトルである。なお、実施の形態２では、第二光学フィルタ１６に含まれる吸収材料は、メロシアニン化合物である。
【００４１】
一般に、第二光学フィルタ１６（つまり、吸光フィルタ）は、第一光学フィルタ１５（つまり、発光フィルタ）よりも劣化の進行が速い。照明器具１０では、第一光学フィルタ１５が第二光学フィルタ１６よりも光源１２寄りに位置しているため、第二光学フィルタ１６の劣化が第一光学フィルタ１５の出射光に与える影響はほとんどない。このため、図９に示されるように、照明器具１０が４００００時間発光した後の第一光学フィルタ１５の発光スペクトルの変化（つまり、図９の（ａ）の（２）から図９の（ｂ）の（２）への変化）は小さい。言い換えれば、照明器具１０では、４００００時間発光した後も第一光学フィルタ１５から第二光学フィルタ１６に入射する光のスペクトルに大きな変化はない。
【００４２】
そうすると、照明器具１０が４００００時間発光した後には、第二光学フィルタ１６が劣化して光の吸収量が減少した分（つまり、図９の（ａ）の（３）から図９の（ｂ）の（３）への変化分）、出射光のスペクトルが初期状態から大きく変化する。図１１に示されるように、４００００時間発光した後の照明器具１０の出射光のスペクトルの色度は、初期値を中心としたＭａｃＡｄａｍ楕円の３ｓｔｅｐの範囲の外側に位置する。したがって、照明器具１０の出射光の色度の初期値からの変化は人間の目で認識可能である。
【００４３】
これに対し、照明器具１０ａでは、第二光学フィルタ１６が第一光学フィルタ１５よりも光源１２寄りに位置している。このため、図１０に示されるように、劣化により第二光学フィルタ１６の光の吸収量が減少した分（つまり、図１０の（ａ）の（３）から図１０の（ｂ）の（３）への変化分）、第一光学フィルタ１５に入射する光のスペクトルが変化する。そうすると、第一光学フィルタ１５の発光スペクトルの変化（つまり、図１０の（ａ）の（２）から図１０の（ｂ）の（２）への変化）が比較的大きくなる。具体的には、第一光学フィルタ１５の発光量が増加する。
【００４４】
しかしながら、第二光学フィルタ１６の光の吸収量が減少したことによる色度の変化と、第一光学フィルタ１５の発光スペクトルの変化による色度の変化とは、色度座標上において反対方向の変化となる。つまり、第二光学フィルタ１６の光の吸収量が減少したことによる色度の変化と、第一光学フィルタ１５の発光スペクトルの変化による色度の変化とはある程度相殺される。
【００４５】
この結果、図１１に示されるように、４００００時間発光した後の照明器具１０ａの出射光のスペクトルの色度は、初期値を中心としたＭａｃＡｄａｍ楕円の３ｓｔｅｐの範囲の内側に位置する。したがって、照明器具１０ａの出射光の色度の初期値からの変化を人間の目で認識することは難しい。
【００４６】
このように、第二光学フィルタ１６が第一光学フィルタ１５と光源１２との間に位置する照明器具１０ａは、長時間の使用後も出射光の色度の変化が小さい利点を有する。
【００４７】
（実施の形態３）
上記実施の形態１及び実施の形態２では、第一光学フィルタ１５、及び、第二光学フィルタ１６は、別体であった。つまり、第一光学フィルタ１５、及び、第二光学フィルタ１６は、隙間をあけて配置されていた。このような構成は、照明器具１０（または照明器具１０ａ）において第一光学フィルタ１５及び第二光学フィルタ１６を個別に交換できる利点がある。
【００４８】
しかしながら、第一光学フィルタ１５及び第二光学フィルタ１６は、一体的な光学素子とされてもよい。以下の実施の形態３では、このような一体的な光学素子を、便宜上、波長制御素子と定義し、このような波長制御素子について説明する。波長制御素子は、光源１２が発する光の波長を制御するための素子である。
【００４９】
波長制御素子は、例えば、第一光学フィルタ１５、及び、第二光学フィルタ１６の貼り合わせによって形成される。図１２は、このような実施の形態３に係る波長制御素子の第一例の模式断面図である。
【００５０】
図１２に示される波長制御素子２０ａにおいては、第一光学フィルタ１５、及び、第二光学フィルタ１６は、接着部材３０により接着されている。具体的には、円板状の第一光学フィルタ１５の主面、及び、円板状の第二光学フィルタ１６の主面が接着部材３０によって接着されている。接着部材３０の厚みは、例えば、第一光学フィルタ１５の厚み、及び、第二光学フィルタ１６の厚みよりも薄い。
【００５１】
接着部材３０は、透光性を有する材料によって形成される。なお、第一光学フィルタ１５の基材、及び、第二光学フィルタ１６の基材がアクリル樹脂である場合、接着部材３０には、アクリル樹脂系の材料が用いられるとよい。つまり、接着部材には、第一光学フィルタ１５の基材、及び、第二光学フィルタ１６の基材のそれぞれと屈折率が近い材料が用いられるとよい。これにより、第一光学フィルタ１５及び接着部材３０の間、及び、第二光学フィルタ１６及び接着部材３０の間のそれぞれに界面が形成されることが抑制される。そうすると、界面における反射による光のロスが少なくなるため、光の利用効率が向上される。
【００５２】
また、図１３は、実施の形態３に係る波長制御素子の第二例の模式断面図である。図１３に示される波長制御素子２０ｂにおいては、第一光学フィルタ１５及び第二光学フィルタ１６が直接接している。第一光学フィルタ１５ａは、第一光学フィルタ１５と同様の機能を有する光学フィルタであるが、第二光学フィルタ１６の主面に第一光学フィルタ１５ａの元となる透光性材料が塗布されることによって形成される点が第一光学フィルタ１５と異なる。第一光学フィルタ１５ａの元となる透光性材料は、例えば、スピンコート法によって塗布されるが、ディスペンサ法またはインクジェット法によって塗布されてもよい。
【００５３】
この結果、第一光学フィルタ１５ａの厚みは、第二光学フィルタ１６の厚みよりも薄くなる。波長制御素子２０ｂにおいては、第一光学フィルタ１５ａの厚みは、例えば、５０μｍ程度であり、第二光学フィルタ１６の厚みは、例えば、０．５ｍｍ以上２．０ｍｍ以下である。つまり、第一光学フィルタ１５ａの厚みは、第二光学フィルタ１６の厚みの５分の１以下である。
【００５４】
なお、第一光学フィルタ１５に、第二光学フィルタの元となる透光性材料が塗布されてもよい。この場合、塗布によって形成された第二光学フィルタの厚みは、第一光学フィルタ１５の厚みよりも薄くなる。このように、第一光学フィルタ及び第二光学フィルタの一方が、当該光学フィルタの元となる透光性材料の塗布によって形成される場合、第一光学フィルタ及び第二光学フィルタの一方の厚みは、第一光学フィルタ及び第二光学フィルタの他方の厚みよりも薄くなる。
【００５５】
ところで、光学フィルタは、基材の厚みが分厚いほど長寿命となる傾向を有する。上述のように、第二光学フィルタ１６は、第一光学フィルタ１５よりも寿命が比較的短い。そこで、波長制御素子２０ｂのように、第一光学フィルタ１５ａの厚みが第二光学フィルタ１６の厚みよりも薄い構成によれば、波長制御素子２０ｂの長寿命化を図ることができる。
【００５６】
なお、第一光学フィルタ１５及び第二光学フィルタ１６の両方が塗布によって形成されてもよい。図１４は、このような実施の形態３に係る波長制御素子の第三例の模式断面図である。図１５は、実施の形態３に係る波長制御素子の第四例の模式断面図である。
【００５７】
図１４に示される波長制御素子２０ｃにおいては、透光性を有する基板４０の主面４１上に第一光学フィルタ１５ａ及び第二光学フィルタ１６ａが積層されている。具体的には、基板４０の主面４１上に第二光学フィルタ１６ａが形成され、第二光学フィルタ１６ａ上に第一光学フィルタ１５ａが形成されている。第一光学フィルタ１５ａ及び第二光学フィルタ１６ａは、直接接している。なお、基板４０の主面４１上に第一光学フィルタ１５ａが形成され、第一光学フィルタ１５ａ上に第二光学フィルタ１６ａが形成されてもよい。
【００５８】
第一光学フィルタ１５ａ及び第二光学フィルタ１６ａは、いずれも塗布によって形成される。このため、第一光学フィルタ１５ａの厚み、及び、第二光学フィルタ１６ａの厚みは、基板４０の厚みよりも薄い。基板４０は、例えば、アクリル樹脂などの透光性を有する樹脂材料によって形成されるが、ポリカーボネート樹脂などのその他の樹脂材料によって形成されてもよい。
【００５９】
また、図１５に示される波長制御素子２０ｄにおいては、透光性を有する基板４０の一方の主面４１に第一光学フィルタ１５ａが設けられ、基板４０の他方の主面４２に第二光学フィルタ１６ａが設けられる。つまり、波長制御素子２０ｄにおいては、第一光学フィルタ１５ａ及び第二光学フィルタ１６ａの間に基板４０が介在する。一方の主面４１及び他方の主面４２は、互いに背向する主面である。
【００６０】
第一光学フィルタ１５ａ及び第二光学フィルタ１６ａは、いずれも塗布によって形成される。このため、第一光学フィルタ１５ａの厚み、及び、第二光学フィルタ１６ａの厚みは、基板４０の厚みよりも薄い。
【００６１】
以上説明したように、波長制御素子２０ｃ及び波長制御素子２０ｄにおいては、透光性材料の塗布によって第一光学フィルタ１５ａ及び第二光学フィルタ１６ａを形成することができる。
【００６２】
なお、以上説明した実施の形態３に係る波長制御素子は、光源１２が発する光が第二フィルタよりも先に第一光学フィルタに入射するように配置されてもよいし、光源１２が発する光が第一光学フィルタよりも先に第二光学フィルタに入射するように配置されてもよい。
【００６３】
また、実施の形態３に係る波長制御素子は、基板４０に代えてレンズ１４の表面に第一光学フィルタ１５ａ及び第二光学フィルタ１６ａが設けられることによって実現されてもよい。言い換えれば、基板４０は、光を集光または拡散するような光学特性を有してもよい。
【００６４】
（まとめ）
以上説明したように、照明器具１０は、光源１２と、第一波長域の光を吸収することにより発光する発光材料を含む第一光学フィルタ１５と、第二波長域の光を吸収する吸収材料を含む第二光学フィルタ１６とを備える。第一光学フィルタ１５及び第二光学フィルタ１６の一方は、第一光学フィルタ１５及び第二光学フィルタ１６の他方と光源１２との間に位置する。
【００６５】
これにより、設計者は、第二光学フィルタ１６に含まれる吸収材料の種類及び量、並びに、第一光学フィルタ１５に含まれる発光材料の種類及び量を調整することにより、出射光のスペクトルを設計目標に追い込むことができる。つまり、出射光のスペクトルを設計目標に近づけることが容易な照明器具１０が実現される。
【００６６】
また、例えば、第一光学フィルタ１５は、第二光学フィルタ１６と光源１２との間に位置する。
【００６７】
これにより、上記実施の形態１で説明されたように、第二波長域の少なくとも一部が第一波長域に含まれる場合などには、第一光学フィルタ１５の発光量を確保することができる。つまり、光源１２が発する光の利用効率を向上することができる。
【００６８】
また、例えば、第二波長域の少なくとも一部は、第一波長域に含まれる。
【００６９】
これにより、第一光学フィルタ１５の発光量を確保することができる。つまり、光源１２が発する光の利用効率を向上することができる。
【００７０】
また、照明器具１０ａにおいては、第二光学フィルタ１６は、第一光学フィルタ１５と光源１２との間に位置する。
【００７１】
これにより、上記実施の形態２で説明されたように、長時間の使用後も出射光の色度の変化が小さい照明器具１０ａが実現される。
【００７２】
また、例えば、第一光学フィルタ１５、及び、第二光学フィルタ１６は、隙間を空けて配置される。
【００７３】
これにより、第一光学フィルタ１５、及び、第二光学フィルタ１６を個別に交換することが容易となる。
【００７４】
また、波長制御素子２０ａでは、例えば、第一光学フィルタ１５、及び、第二光学フィルタ１６は、接着部材３０により接着される。
【００７５】
これにより、接着部材３０に、第一光学フィルタ１５の基材、及び、第二光学フィルタ１６の基材と屈折率が近い材料が用いられれば、第一光学フィルタ及び第二光学フィルタが隙間をあけて配置されるような場合に比べて、界面における反射による光のロスを減らすことができる。したがって、光源１２が発する光の利用効率を向上することができる。
【００７６】
また、波長制御素子２０ｂでは、第一光学フィルタ１５ａ及び第二光学フィルタ１６は、直接接触している。波長制御素子２０ｃも同様である。
【００７７】
これにより、第一光学フィルタ１５ａ及び第二光学フィルタ１６が隙間をあけて配置されるような場合に比べて、界面を減らすことができる。そうすると、界面における反射による光のロスが抑制されるため、光源１２が発する光の利用効率を向上することができる。
【００７８】
また、波長制御素子２０ｂでは、第一光学フィルタ１５ａ及び第二光学フィルタ１６の一方（具体的には、第一光学フィルタ１５ａ）の厚みは、第一光学フィルタ１５ａ及び第二光学フィルタ１６の他方（具体的には、第二光学フィルタ１６）の厚みよりも薄い。
【００７９】
これにより、第一光学フィルタ１５ａ及び第二光学フィルタ１６の他方に透光性材料を塗布することにより、第一光学フィルタ１５ａ及び第二光学フィルタ１６の一方を形成することができる。
【００８０】
また、照明器具１０または照明器具１０ａは、さらに、透光性を有する基板４０を備えてもよい。例えば、波長制御素子２０ｃにおいては、第一光学フィルタ１５ａ及び第二光学フィルタ１６ａは、基板４０の主面４１上に積層される。
【００８１】
これにより、第一光学フィルタ１５ａ及び第二光学フィルタ１６ａの両方を、透光性材料の塗布により形成することができる。
【００８２】
また、照明器具１０または照明器具１０ａは、さらに、透光性を有する基板４０を備えてもよい。例えば、波長制御素子２０ｄにおいては、第一光学フィルタ１５ａは、基板４０の一方の主面４１上に設けられ、第二光学フィルタ１６ａは、基板４０の他方の主面４２上に設けられる。
【００８３】
これにより、第一光学フィルタ１５ａ及び第二光学フィルタ１６ａの両方を、透光性材料を基板４０に塗布することにより形成することができる。
【００８４】
（その他の実施の形態）
以上、実施の形態について説明したが、本発明は、このような実施の形態に限定されるものではない。
【００８５】
例えば、上記実施の形態では、照明器具は、第一光学フィルタ及び第二光学フィルタを１つずつ備えたが、第一光学フィルタ及び第二光学フィルタを少なくとも１つずつ備えればよい。つまり、照明器具は、複数の第一光学フィルタを備えてもよい。また、照明器具は、複数の第二光学フィルタを備えてもよい。
【００８６】
また、上記実施の形態では、照明器具は、スポットライトであるとして説明された。しかしながら、本発明は、第一光学フィルタ及び第二光学フィルタを備える他の照明器具として実現されてもよい。例えば、本発明は、ダウンライトとして実現されてもよい。
【００８７】
また、上記実施の形態で説明された照明器具の光学系は一例である。本発明の特徴的な機能を実現できる他の光学系を有する照明器具も本発明に含まれる。例えば、上記実施の形態で説明された光学系と同様の機能を実現できる範囲で、当該光学系に別の光学素子が追加されてもよいし、当該光学系に含まれる一部の光学素子が省略されてもよい。
【００８８】
また、上記実施の形態では、光源は、ＣＯＢ型の発光モジュールであったが、光源は、ＳＭＤ（Ｓｕｒｆａｃｅ  Ｍｏｕｎｔ  Ｄｅｖｉｃｅ）型の発光モジュールであってもよい。
【００８９】
また、上記実施の形態では、光源には、発光素子としてＬＥＤチップが用いられたが、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子が用いられてもよい。
【００９０】
以上、一つまたは複数の態様に係る照明器具について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。例えば、本発明は、上記実施の形態で説明された波長制御素子の製造方法として実現されてもよい。
【符号の説明】
【００９１】
１０、１０ａ  照明器具
１２  光源
１５、１５ａ  第一光学フィルタ
１６、１６ａ  第二光学フィルタ
２０ａ、２０ｂ、２０ｃ、２０ｄ  波長制御素子
３０  接着部材
４０  基板
４１、４２  主面
【図１】
2019109981.tif 000003
【図２】
2019109981.tif 000004
【図３】
2019109981.tif 000005
【図４】
2019109981.tif 000006
【図５】
2019109981.tif 000007
【図６】
2019109981.tif 000008
【図７】
2019109981.tif 000009
【図８】
2019109981.tif 000010
【図９】
2019109981.tif 000011
【図１０】
2019109981.tif 000012
【図１１】
2019109981.tif 000013
【図１２】
2019109981.tif 000014
【図１３】
2019109981.tif 000015
【図１４】
2019109981.tif 000016
【図１５】
2019109981.tif 000017